(57)【特許請求の範囲】
【請求項１】
興行イベントの電子チケットの使用状況を更新する携帯端末において、
興行イベント毎、または興行イベントの入場時間に応じて指定される光に関する情報が記憶された光情報記憶手段と、
前記電子チケットの使用者がイベント会場に入場する前に前記興行イベントの運営側によって発光される光を撮像する撮像手段を介して、撮像された光を感知する光感知手段と、
前記光感知手段が感知した光が、前記光情報記憶手段に記憶された情報に係る光と一致したときに、前記使用状況を更新する使用状況更新手段と、
を備える携帯端末。
【請求項２】
前記電子チケットの使用状況を更新したことを示す更新済情報の出力処理を行う更新済情報出力手段を備えることを特徴とする請求項１記載の携帯端末。
【請求項３】
前記光感知手段が感知する光とは、自然光と識別可能な光であることを特徴とする請求項１記載の携帯端末。
【請求項４】
前記光感知手段が感知する光とは、イベント会場の照明光と識別可能な光であることを特徴とする請求項１記載の携帯端末。
【請求項５】
前記光感知手段が感知する光とは、所定の色の光であることを特徴とする請求項１記載の携帯端末。
【請求項６】
前記光感知手段が感知する光とは、所定の色が組み合わされた光であることを特徴とする請求項１記載の携帯端末。
【請求項７】
前記光感知手段が感知する光とは、所定のパターンで点灯と消滅とを繰り返す光であることを特徴とする請求項１記載の携帯端末。
【請求項８】
前記光感知手段が感知する光とは、所定のパターンで明暗を繰り返す光であることを特徴とする請求項１記載の携帯端末。
【請求項９】
前記光感知手段が感知する光とは、所定のパターンで動く光であることを特徴とする請求項１記載の携帯端末。
【請求項１０】
前記光感知手段が感知する光とは、所定の周波数の光であることを特徴とする請求項１記載の携帯端末。
【請求項１１】
前記光感知手段が感知する光は、イベント毎にその種類が変更されることを特徴とする請求項１記載の携帯端末。
【請求項１２】
前記電子チケットを表示する表示手段に前記電子チケットを表示する処理に伴い、前記光感知手段の受光機能を起動させる起動手段を備えることを特徴とする請求項１記載の携帯端末。
【請求項１３】
前記光感知手段が複数ある場合、前記起動手段は、前記表示手段の表示方向と同じ方向を向いている前記光感知手段を起動させることを特徴とする請求項１２記載の携帯端末。
【請求項１４】
興行イベントの電子チケットの使用状況を更新する電子チケット処理プログラムにおいて、
コンピュータを、
興行イベント毎、または興行イベントの入場時間に応じて指定される光に関する情報が記憶された光情報記憶手段、
前記電子チケットの使用者がイベント会場に入場する前に前記興行イベントの運営側によって発光される光を撮像する撮像手段を介して、撮像された光を感知する光感知手段、
前記光感知手段が感知した光が、前記光情報記憶手段に記憶された情報に係る光と一致したときに、前記使用状況を更新する使用状況更新手段、
として機能させることを特徴とする電子チケット処理プログラム。
【請求項１５】
興行イベントの電子チケットの使用状況を更新する携帯端末で電子チケットの使用状況を更新するステップを行う電子チケット処理方法において、
光情報記憶手段が、興行イベント毎、または興行イベントの入場時間に応じて指定される光に関する情報を記憶するステップと、
光感知手段が、前記電子チケットの使用者がイベント会場に入場する前に前記興行イベントの運営側によって発光される光を撮像する撮像手段を介して、撮像された光を感知するステップと、
使用状況更新手段が、前記光感知手段が感知した光が、前記光情報記憶手段に記憶された情報に係る光と一致したときに、前記使用状況を更新するステップと、
を実行することを特徴とする電子チケット処理方法。
【請求項１６】
興行イベント毎、または興行イベントの入場時間に応じて指定される光に関する情報が記憶された光情報記憶手段と、
興行イベントの電子チケットの使用者がイベント会場に入場する前に前記興行イベントの運営側によって発光される光を撮像する撮像手段を介して、撮像された光を感知する光感知手段と、
前記光感知手段が感知した光が、前記光情報記憶手段に記憶された情報に係る光と一致したときに、前記電子チケットの使用状況を更新する使用状況更新手段と、
を備える携帯端末に対し、
前記携帯端末が取得した前記電子チケットの使用状況を更新するための光を照射することを特徴とする光照射器。
【請求項１７】
前記電子チケットの使用状況を更新するための光の種類を変更するための種類変更手段を備えることを特徴とする請求項１６記載の光照射器。
【請求項１８】
前記電子チケットの使用状況を更新するための光の拡散を防止するための光拡散防止部材を備えることを特徴とする請求項１６記載の光照射器。
【発明の詳細な説明】
【技術分野】
【０００１】
本発明は、携帯端末、電子チケット処理プログラム、電子チケット処理方法、光照射器に関し、特に、所定の光を感知した場合に電子チケットの使用状況を更新する処理を行う携帯端末等に関するものである。
【背景技術】
【０００２】
近年、興行イベントのチケットとして電子チケットの利用が進んでいる。電子チケットに関する技術としては、例えば特許文献１のようなシステムが提供されている。このシステムは、電子チケットをダウンロードした携帯端末と、チケットの正当性を認証するチケット認証装置とからなる。チケット認証装置は、携帯端末に記憶されている電子チケットを無線通信で読み取り、読み取った電子チケットの正当性を自動で確認し、正当性が確認された場合は、その電子チケットの所有者の入場を許可するものである。
このシステムは、人手を介さず、コンピュータが自動的にチケットの正当性を確認するので、観客をイベント会場に迅速に入場させることができる。
しかし、チケット認証装置は高性能な装置であるので、装置の導入コストが高くなるという問題があった。また、チケット認証装置は一定の大きさと重量があるため、イベント会場への搬送が不便であるという問題もあった。
【０００３】
これに対し、特許文献２から特許文献４のような電子チケットに関するシステムが提供されている。これらシステムは、いわゆる「指操作による電子もぎりシステム」と呼ばれるものである。
このシステムでは、イベント会場の入り口で、観客が、ダウンロードした電子チケットを、スマートフォンなどの端末に表示させる操作を行い、入場係員が表示されたチケット情報を目視し、そのチケットの正当性を確認する。正当性が確認された場合は、係員が指で、表示された電子チケットの半券部に触れ、電子チケットの本体部から半券部を切り離すかのような「もぎり操作」を行う。これにより、その電子チケットは「使用済み」となり、スマートフォンには本体部と半券部とが切り離された電子チケットが表示される。これらの一連の処理により「指操作による電子チケットのもぎり」が完了する。
このシステムは、特許文献１のようなチケット認証装置が不要であるため、システムの導入費用が安価となり、チケット認証装置の搬送の問題も生じない。よって、このシステムは、幾つかのイベント会場で導入され始めている。
【先行技術文献】
【特許文献】
【０００４】
【特許文献１】国際公開ＷＯ０１／０６９４７５号公報
【特許文献２】特開２０１４−１４９５５６号公報
【特許文献３】特開２０１４−０９６１３１号公報
【特許文献４】特開２０１４−０９６１３７号公報
【発明の概要】
【発明が解決しようとする課題】
【０００５】
しかし、このシステムは、スマートフォンに表示されたチケットの半券部に、係員が指で触れた上で、上記の「もぎり操作」を行う必要があるため、円滑にチケットを「もぎる」ことができない場合があった。すなわち、係員が誤って半券以外の部分に触れてしまったり、「もぎり操作」がスマートフォンに上手く感知されない場合があるなど、指操作でチケットを円滑にもぎることができないという問題が生じていた。このような問題は、短時間のうちに数千人から数万人の観客を入場させなければならない大規模イベントにおいては致命的な問題となる。観客の多い大規模イベントでは、チケットのもぎり操作を円滑に行えないと、観客の入場が遅延し、イベントの開始までもが遅れてしまうからである。
【０００６】
また、このシステムは、表示画面上で指の接触や動きを感知できるスマートフォン等においてのみ実現可能なものであり、表示画面上で指の接触や動きを感知できない従来型の携帯電話では実現できないという問題があった。スマートフォンは急速に普及しているが、その一方でスマートフォンの難解な操作を嫌い、依然として従来型の携帯電話を利用している人は多い。よって、このシステムは、スマートフォン所有者しか利用できず、利用対象者が限られてしまうという問題があった。
更に、清潔好きの観客にとっては、係員が自分のスマートフォンに触れることは不快であり、このシステムは観客に不快な思いをさせる場合もあった。
【０００７】
本発明は、このような課題を解決するためのものであり、導入コストが安く、迅速に観客を入場させることが可能で、且つ会場係員が観客の携帯端末に触れることなく電子チケットをもぎることができる電子チケットシステムを提供するものである。
【課題を解決するための手段】
【０００８】
上記問題を解決するため、本発明では、電子チケットの使用状況を更新する機能を有する携帯端末において、光を感知する光感知手段と、前記光感知手段が感知した光が、前記使用状況を更新するための光であると判断した場合は、前記使用状況を更新する使用状況更新手段と、を備える携帯端末が提供される。
【０００９】
本発明に係る携帯端末は、電子チケットの使用状況を更新する機能を有する携帯端末において、光を感知する光感知手段と、光感知手段が感知した光が、使用状況を更新するための光であると判断した場合は、使用状況を更新する使用状況更新手段とを備える。
これにより、感知した光が、電子チケットの使用状況を更新するための光であると判断した場合は、電子チケットの使用状況を更新する。
【００１０】
上記問題を解決するため、本発明では、電子チケットの使用状況を更新する電子チケット処理プログラムにおいて、コンピュータを、光を感知する光感知手段、前記光感知手段が感知した光が、前記使用状況を更新するための光であると判断した場合は、前記使用状況を更新する使用状況更新手段、として機能させることを特徴とする電子チケット処理プログラムが提供される。
【００１１】
本発明に係る電子チケット処理プログラムは、電子チケットの使用状況を更新する電子チケット処理プログラムにおいて、コンピュータを、光を感知する光感知手段、光感知手段が感知した光が、使用状況を更新するための光であると判断した場合は、使用状況を更新する使用状況更新手段として機能させる。
これにより、感知した光が、電子チケットの使用状況を更新するための光であると判断した場合は、電子チケットの使用状況を更新する。
【００１２】
上記問題を解決するため、本発明では、電子チケットの使用状況を更新するステップを行う電子チケット処理方法において、光感知手段が、光を受けるステップと、使用状況更新手段が、前記光感知手段が感知した光が、前記使用状況を更新するための光であると判断した場合は、前記使用状況を更新するステップとを実行することを特徴とする電子チケット処理方法が提供される。
【００１３】
本発明に係る電子チケット処理方法は、電子チケットの使用状況を更新するステップを行う電子チケット処理方法において、光感知手段が、光を受けるステップと、使用状況更新手段が、前記光感知手段が感知した光が、前記使用状況を更新するための光であると判断した場合は、前記使用状況を更新するステップとを実行する。
これにより、感知した光が、電子チケットの使用状況を更新するための光であると判断した場合は、電子チケットの使用状況を更新する。
【００１４】
上記問題を解決するため、本発明では、光を感知する光感知手段を備える携帯端末に対し、前記携帯端末が取得した電子チケットの使用状況を更新するための光を照射することを特徴とする光照射器が提供される。
【００１５】
本発明に係る光照射器は、光を感知する光感知手段を備える携帯端末に対し、携帯端末が取得した電子チケットの使用状況を更新するための光を照射する。
これにより、携帯端末に対し、電子チケットの使用状況を更新するための光が照射される。
【発明の効果】
【００１６】
本発明は、感知した光が、電子チケットの使用状況を更新するための光であると判断した場合は、電子チケットの使用状況を更新する。これにより高価なチケット認証装置を導入する必要がなくなり、導入コストを安くすることができる。また、会場係員が観客の携帯端末に触れることなく電子チケットをもぎることができるので、指による操作がスマートフォンに感知されないなどの弊害がなく、迅速に観客を入場させることができる。さらに、清潔好きな観客を不快にさせることもない。さらに、スマートフォン以外の従来型の携帯電話でも利用できるため、利用対象者を多くすることができ、電子チケットの普及にも貢献できる。
【図面の簡単な説明】
【００１７】
【図１】本発明のハードウェア構成および機能構成の一例を表す図である。
【図２】光照射器の一例を表す図である。
【図３】未使用電子チケットの表示例一例を表す図である。
【図４】使用済み電子チケットの一例を表す図である。
【図５】入場前の所有チケットデータの一例を表す図である。
【図６】入場前のチケット管理ファイルの一例を表す図である。
【図７】入場後の所有チケットデータの一例を表す図である。
【図８】入場後のチケット管理ファイルの一例を表す図である。
【図９】対象光特定データの一例を表す図である。
【図１０】入場報告データの一例を表す図である。
【図１１】本発明を実施するためのフローチャートである。
【図１２】ＳＴＥＰ１の詳細な処理を表すフローチャートである。
【図１３】ＳＴＥＰ２の詳細な処理を表すフローチャートである。
【図１４】ＳＴＥＰ３の詳細な処理を表すフローチャートである。
【発明を実施するための形態】
【実施例】
【００１８】
本発明の実施例を図に基づいて説明する。
図１は、本発明の実施例のハードウェア構成および機能構成を示した図である。
本発明は、電子チケットを取得して記憶する携帯端末１と、所定の光を照射する光照射器２と、チケットの情報を管理するサーバー３とからなり、携帯端末１とサーバー３とはインターネットなどの通信手段を介して情報の送受信ができるよう接続されている。
【００１９】
携帯端末１は、イベントの観客が所有する端末であり、光を感知するカメラ１１、光を受ける受光部１２、受けた光を判断する光判断部１３、チケットの使用状況を更新する使用状況更新部１４、情報を記憶する記憶部１５、情報を表示するモニタ１６、使用状況の更新を報告する更新報告部１７を備えたコンピュータである。
カメラ１１は、光照射器２が照射した光を感知し、受光部１２はカメラ１１が感知した光を所定のデータに変換し、それを光判断部１３に送信する。
光判断部１３は、感知した光がチケットの使用状況を更新するための光（チケットをもぎるための光）であるか否かを判断し、使用状況を更新するための光と判断した場合は、使用状況更新部１４に、使用状況を更新すべき旨の命令を行う。
使用状況更新部１４は、記憶部１５に記憶されているチケットの使用状況を更新し、更新したことを表す情報をモニタ１６に表示することを命令すると共に、更新報告部１７に使用状況を更新した旨をサーバー３に報告するよう命令する。
【００２０】
光照射器２（図１、図２）は、イベント会場の入り口に配置された係員が所持する小型のライト（例えば、ペンライトなど）であり選択スイッチ２１、光設定部２２、照射スイッチ２３、光照射部２４、発光部２５（電球やＬＥＤ発光体など）、光拡散防止材２６とを備えている。
光設定部２２は、入力スイッチ２１から、光の種類を選択する情報を受付け、選択された光を照射するよう設定する。
光照射器２４は、照射スイッチ２３から照射命令を受け付けた場合、所定の光を照射する。
【００２１】
サーバー３は、記憶されたファイルの内容を更新するファイル更新部３１を備えたコンピュータである。
ファイル更新部３１は、更新報告部１７から報告を受付け、チケットに関するファイルの内容を更新する。
【００２２】
携帯端末１とチケット管理サーバー３には、本発明を実現するためのコンピュータプログラムや所定のデータが記憶されており、携帯端末１とチケット管理サーバー３に内蔵されている処理装置はこのコンピュータプログラムの処理命令に従って所定の処理を行う。
【００２３】
次に、携帯端末１のモニタ１６に表示されるデータについて説明する。
図３は、携帯端末１のモニタ１６に、本体部４１と半券部４２とからなるチケットのイメージを表示したものである。なお、ここには入場前のチケットが表示されている。すなわち、本体部４１と半券部４２とが切り離される前のチケットのイメージが表示されている。
【００２４】
図４は上記図３と同様、携帯端末１のモニタ１６に、本体部４１と半券部４２とからなるチケットのイメージを表示したものである。なお、ここには入場後のチケットが表示されている。すなわち、本体部４１と半券部４２とが切り離された後のチケットのイメージが表示されている。
【００２５】
次に、本実施例にて使用されるデータについて説明する。
図５は、携帯端末１の記憶部１５に記憶されている所有チケットデータである。具体的には、イベントＩＤ、イベント名、開催日、開催場所、座席番号、使用状況（そのチケットが未使用であるか、使用済みであるかを表すデータ項目）とが関連づけられたデータである。なお、図５に表すデータは、入場前のチケットのデータを表すものであるための使用状況は「未使用」となっている。
【００２６】
図６は、サーバー３が管理するチケット管理ファイルである。具体的には、イベント情報と座席管理情報とを関連づけたファイルである。イベント情報には、イベントＩＤ、イベント名、開催日、開催場所等が含まれる。座席管理情報には、座席番号、所有者ＩＤ、所有者名、使用状況等が含まれている。なお、図６は「座席番号：Ａ−２６」の所有者が未だ入場していない状態を表した情報であるため「座席番号：Ａ−２６」の使用状況は「未使用」となっている。
【００２７】
図７は、携帯端末１の記憶部１５に記憶されている所有チケットデータである。なお、図７は図５に表すデータとほぼ同内容であるが、図７の場合は入場後のチケットのデータを表すものであるための使用状況は「使用済み」となっている。
【００２８】
図８は、サーバー３が管理するチケット管理ファイルである。なお、図８は図６に表されたデータとほぼ同内容であるが、「座席番号：Ａ−２６」の所有者が既に入場を終えた状態を表した情報であるための「座席番号：Ａ−２６」の使用状況は「使用済み」となっている。
【００２９】
図９は、携帯端末１の記憶部１５に記憶されている対象光特定データである。ここで特定された色と、光照射器２の光の色とが一致したときに、チケットの使用状況の更新処理（もぎり処理）が行われるのであるが、詳しくは後述する。
なお、ここで対象光について説明する。対象とする光は、自然光またはイベント会場の照明光と識別可能な光であり、一色の光に限らず所定の色が組み合わされた光であっても良い。また、所定のパターンで点灯と消滅とを繰り返す光、所定のパターンで明暗を繰り返す光、所定のパターンで動く光、所定の周波数の光であっても良い。
【００３０】
図１０は、携帯端末１の更新報告部１７がサーバー３に対して送信する「入場報告データ」である。これは「座席番号：Ａ−２６」の所有者が入場を終えたことをサーバー３に報告するためのデータであり、イベントＩＤ、イベント名、開催日、開催場所、座席番号、使用状況が関連づけられたデータである。
【００３１】
次に、本実施例の処理手順について説明する。
図１１は本実施例の処理手順を示すフローチャートである。このフローチャートは、チケットダウンロード処理（ＳＴＥＰ１）、照射光選択処理（ＳＴＥＰ２）、入場処理（ＳＴＥＰ３）、入場報告処理（ＳＴＥＰ４）とからなる。
【００３２】
ＳＴＥＰ１は、チケットダウンロード処理であり、その詳細は図１２の通りである。なお、この処理は周知の処理であるため以下簡単にこの処理について説明する。
チケット購入者は携帯端末１を利用して電子チケット販売会社のサイトにアクセスし、所望のイベントを選択する（Ｓ１−１「チケット選択処理」）。
サーバー３は、チケット管理ファイルを参照して空席があるか否かを判断する（Ｓ１−２「空席確認」）。空席がある場合は決済処理（Ｓ１−３）に進み、空席がない場合は空席がない旨のメッセージを携帯端末１に送信して、チケット選択処理（Ｓ１−１）に戻る。
空席がある場合、サーバー３は決済処理（Ｓ１−３）を行う。例えば、サーバー３は携帯端末１から送信されたクレジットカード番号に基づいて決済処理を行う。
決済処理が終了したら、携帯端末１はサーバー３から電子チケットをダウンロードし、携帯端末１の記憶部１５に記憶する（Ｓ１−４「ダウンロード」）。
【００３３】
ＳＴＥＰ２は照射光選択処理であり、詳細は図１３の通りである。
ＳＴＥＰ２−１は色の選択処理であり、ＳＴＥＰ２−２は色の設定処理である。光照射器２は、選択スイッチ２１（種類変更手段）を図２の矢印方向にスライドさせることにより色の選択が行えるようになっている。この光照射器２は、イベント会場の入り口に配置された係員が所持するものであり、係員は選択スイッチ２１をスライドさせることにより色を選択し、これにより光照射器２は選択された色を設定し、その色の光を照射する。このように色を適宜選択して変更すれば、不正入場者を抑制することができる。すなわち、色が一色だと、その色を発する光照射器を偽造して不正入場する者が現れる可能性があるが、色を適宜変えれば偽造が難しくなり、不正入場者を抑制できるのである。なお、色は、イベント毎に変更しても良いし、１つのイベントの入場時間に応じてきめ細やく変更を加えても良い。
【００３４】
なお、ここで選択する照射光について説明する。照射光は、自然光またはイベント会場の照明光と識別可能な光であり、一色の光に限らず所定の色が組み合わされた光であっても良い。また、所定のパターンで点灯と消滅とを繰り返す光、所定のパターンで明暗を繰り返す光、所定のパターンで動く光、所定の周波数の光であっても良い。
【００３５】
ＳＴＥＰ３は入場処理であり、詳細は図１４の通りである。
ＳＴＥＰ３−１は、入場前チケット表示処理である。チケット所有者はイベント当日、イベント会場まで出向き、会場の入り口付近で携帯端末１を操作して、図３のように入場前のチケットを表示モニタ１６に表示する。なお、この際、携帯端末１はカメラ１１の機能を起動させ受光可能な状態にする。また、携帯端末１にはモニタ１６側に（モニタ１６と同じ方向に向いている）カメラ１１が設けられているが、モニタ１６の背面（モニタ１６の裏側）にもカメラが設けられている場合がある。この場合、携帯端末１はモニタ１６側のカメラ１１（モニタ１６と同一面上に設置されているカメラ１１）を起動させて受光可能な状態にする。モニタ１６と異なる方向を向いているカメラを起動させると、係員がどこに光を照射すべきか分からず、入場処理が遅延してしまうからである。
【００３６】
ＳＴＥＰ３−２は、光感知処理である。会場の係員は、モニタ１６に表示されているチケットの内容を目視で確認し、入場を許可するか否かを判断する。入場を許可する場合、係員は、光照射器２の照射スイッチ２３をＯＮにスライドさせる（図２）。これにより光照射器２は光を照射し、係員はその光をカメラ１１にあてる。なお、光照射器２は、光拡散防止剤２６を備えているので、照射光は携帯端末１付近にのみあたることになり、携帯端末１の所有者の顔にあたり、所有者に不愉快な思いをさせることがない。また、光照射器２は所定の方向（主に、下方向）を向いているときのみ光を照射するようにしても良い。光照射器２が上を向いたときに光を照射すると携帯端末１の所有者の顔に光をあてて、携帯端末１の所有者に不快な思いをさせてしまうからである。
受光部１２は、カメラ１１（光感知手段）が感知した光を所定のデータに変換し、それを光判断部１３に送信する。
【００３７】
ＳＴＥＰ３−３は、光判断処理である。携帯端末１の記憶部１５には、今回のイベントの対象光が青色であることが記憶されている（図９）。光判断部１３は、受光した光の色を解析・判断し、光の色が青ならばＳＴＥＰ３−４に進み、青以外の光である場合はＳＴＥＰ３−２に戻る。
【００３８】
ＳＴＥＰ３−４は、使用状況更新処理である。使用状況更新部１４は、図５に示された使用前の所有チケットデータの「使用状況」を「未使用」から、図７のように「使用済み」に更新する。
【００３９】
ＳＴＥＰ３−５は、入場後チケット表示処理である。使用状況更新部１４は、図４のように使用済みを表すチケットのイメージデータ（更新済情報）をモニタ１６に表示する。これにより、チケット所有者および会場係員は、使用状況の更新処理（チケットの半券部４２のもぎり処理）が正常に行われたことを視覚的に把握することができる。
【００４０】
ＳＴＥＰ４は、入場報告処理である。更新報告部１５は、図６に示された使用前のチケット管理データにおける「Ａ−２６の使用状況」を「未使用」から、図８のように「使用済み」に更新する。これによりイベント開催者またはチケット販売者は、観客の入場状況を把握することができる。
【００４１】
本実施例では、特定の例に基づいて本発明の内容を説明したが、本発明はこれに限るものではない。例えば、光照射器２は小型のライトではなく、設置型の大きなライトであっても良い。また、携帯端末１は、スマートフォンでも、従来型の携帯電話（ガラパゴス携帯）でも、ウェアラブル端末（腕時計・リストバンド・指輪・メガネ、衣服など身につけることが可能な端末）等どのような端末でも良い。
【００４２】
この実施例は本発明の範囲を限定するものではない。本実施例で説明した各処理はどの装置で行ってもよい。
また、本実施例で説明したシステム構成（ハードウェア構成）は一例であり、用途や目的に応じて様々な構成があることは言うまでもない。
更に、本実施例で説明したデータ構成は一例であり、用途や目的に応じて様々なデータ構成があることは言うまでもない。
【００４３】
なお、上記の処理機能は、コンピュータによって実現することができる。その場合、本発明に係る装置が有すべき機能の処理内容を記述した本発明に係るプログラムが提供される。そのプログラムをコンピュータで実行することにより、上記処理機能がコンピュータ上で実現される。処理内容を記述した本発明に係るプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録装置には、  ＭＯ（Ｍａｇｎｅｔｏ  Ｏｐｔｉｃａｌ  ｄｉｓｋ）などがある。
【００４４】
本発明に係るプログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００４５】
本発明に係るプログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置から本発明に係るプログラムを読み取り、そのプログラムに従った処理を実行する。
なお、コンピュータは、可搬型記録媒体からそのプログラムを読み取り、プログラムに従った処理を実行することもできる。また、コンピュータは、サーバコンピュータからプログラムが転送される毎に、逐次、受け取ったプログラムに従った処理を実行することもできる。
【００４６】
なお、本発明は、上述の実施の形態にのみ限定されるものではなく、本発明の要旨を逸脱しない範囲内において種々の変更を加えることができる。
【００４７】
上記については単に本発明の原理を示すものである。さらに、多数の変形、変更が当業者にとって可能であり、本発明は上記に示し、説明した正確な構成および  応用例に限定されるものではなく、対応するすべての変形例および均等物は、添付の請求項およびその均等物による本発明の範囲とみなされる。
【符号の説明】
【００４８】
１    携帯端末
２    光照射器
３    サーバー
１１  カメラ
１２  受光部
１３  光判断部
１４  使用状況更新部
１５  モニタ
１６  更新報告部
２１  選択スイッチ
２２  光設定部
２３  照射スイッチ
２４  光照射部
２５  発光部
２６  光拡散防止材
３１  ファイル更新部
４１  チケットの本体部
４２  チケットの半券部
【図１】
0006397348.tif 000002
【図２】
0006397348.tif 000003
【図３】
0006397348.tif 000004
【図４】
0006397348.tif 000005
【図５】
0006397348.tif 000006
【図６】
0006397348.tif 000007
【図７】
0006397348.tif 000008
【図８】
0006397348.tif 000009
【図９】
0006397348.tif 000010
【図１０】
0006397348.tif 000011
【図１１】
0006397348.tif 000012
【図１２】
0006397348.tif 000013
【図１３】
0006397348.tif 000014
【図１４】
0006397348.tif 000015